(57)【要約】【課題】最適なタイミングで自然換気を促す報知を行う換気報知システムを提供する。【解決手段】室外温度計５０と、室外湿度計５４と、これらの計測結果に基づいて指示情報を出力する指示情報出力装置１０と、指示情報出力装置１０からの指示情報を表示する携帯型端末８０と、を備える換気報知システム１であって、指示情報出力装置１０は、快適温度範囲及び快適湿度範囲を設定する快適範囲設定部１２ａと、室外温度計５０の計測結果が快適温度範囲内か否かを判定する室外温度判定部１２ｂと、室外湿度計５４の計測結果が快適湿度範囲内か否かを判定する室外湿度判定部１２ｄと、室外温度判定部１２ｂ及び室外湿度判定部１２ｄの判定結果が快適範囲内であると判定した場合に、自然換気を指示する指示情報を設定する指示情報設定部１２ｆと、指示情報を電子メール等で携帯型端末８０に送信するデータ通信部２２とを有する。【選択図】図１
2014219124.tif 000002
【特許請求の範囲】
【請求項１】
室外に配置され、気温を計測する室外温度計と、
室外に配置され、湿度を計測する室外湿度計と、
前記室外温度計及び前記室外湿度計の計測結果に基づいて居住者への指示情報を出力する指示情報出力装置と、
当該指示情報出力装置から出力された指示情報を居住者が視認可能に表示する表示装置と、を備え、
前記指示情報出力装置は、
快適温度範囲及び快適湿度範囲を設定する設定部と、
前記室外温度計の計測結果が快適温度範囲内か否かを判定する室外温度判定部と、
前記室外湿度計の計測結果が快適湿度範囲内か否かを判定する室外湿度判定部と、
前記室外温度判定部が快適温度範囲内でかつ前記室外湿度判定部が快適湿度範囲内であると判定した場合に、自然換気を指示する指示情報を設定する指示情報設定部と、
当該指示情報設定部によって設定された指示情報を前記表示装置に出力する出力部とを有することを特徴とする換気報知システム。
【請求項２】
前記出力部は、指示情報を記載した電子メールを作成して当該電子メールを前記表示装置に送信し、
前記表示装置は、前記指示情報出力装置からの電子メールを表示することを特徴とする請求項１記載の換気報知システム。
【請求項３】
室内に配置され、湿度を計測する室内湿度計を更に備え、
前記指示情報出力装置は
室内の空調装置を遠隔操作する遠隔操作部と、
前記室内湿度計の計測結果が快適湿度範囲内か否かを判定する室内湿度判定部と、を更に有し、
前記指示情報出力装置は、前記室外温度判定部が快適温度範囲内であると判定し、前記室外湿度判定部が快適湿度範囲内であると判定せず、かつ前記室内湿度判定部が快適湿度範囲内であると判定した場合に、前記遠隔操作部によって前記空調装置を除湿運転に切り替えることを特徴とする請求項１又は２記載の換気報知システム。
【請求項４】
室内に配置され、気温を計測する室内温度計を更に備え、
前記指示情報出力装置は、
前記室外温度計の計測結果と前記室内温度計の計測結果との差が所定の温度差以上の状態を所定時間継続したか否かを判定する温度差判定部を更に有し、
前記指示情報設定部は、前記温度差判定部が所定の温度差以上の状態を所定時間継続したと判定した場合に、自然換気を指示する指示情報を設定することを特徴とする請求項１乃至３のいずれか１項記載の換気報知システム。
【発明の詳細な説明】
【技術分野】
【０００１】
本発明は、自然換気を行うタイミングを報知する換気報知システムに関する。
【背景技術】
【０００２】
空調装置を使用した室内では、気温が一定範囲になるように制御されている。このため、長時間室内に居る居住者は外気温度変化に気付かないことが多い。特に、２４時間連続運転を前提とした常時換気方法を用いた場合、春や秋などの中間期や夏季の夜間などで、自然換気に適した温度条件になっているにもかかわらず、空調装置を使用した室温調整を行うケースが発生しやすい。この場合、自然換気のタイミングを逸しているばかりでなく、空調装置を使用する必要がない時間帯に空調装置を稼働させるために、余分な電力を使用していることになる。
【０００３】
従来、この種の技術として、特許文献１に記載されている技術がある。特許文献１によれば、管理対象の部屋の主要な窓が閉じられた後に、管理対象の部屋の外気温を監視し、その外気温が居住者にとって快適環境である値に達したとき、窓の開放を勧める旨のメッセージをディスプレイやスピーカ、携帯電話等の出力装置に出力する、という空調システムが提案されている。
【先行技術文献】
【特許文献】
【０００４】
【特許文献１】特開２０１２−２５１７３１号公報
【発明の概要】
【発明が解決しようとする課題】
【０００５】
特許文献１に記載された技術においては、管理対象の部屋の外気温を監視し快適環境である値に達したときに窓の開放を勧めている。しかし、特に夏期においては、空調装置の使用によって室内が除湿された状態となるため、室内外に湿度の差があり、窓を開放した場合に湿気の多い外気が室内に入り込むことによって不快に感じるおそれがある。
【０００６】
本発明は、このような問題点を解決し、最適なタイミングで自然換気を促す報知を行う換気報知システムを提供することを目的とする。
【課題を解決するための手段】
【０００７】
前記目的を達成するため、本発明は、次に記載する構成を備えている。
【０００８】
（１）  室外に配置され、気温を計測する室外温度計と、室外に配置され、湿度を計測する室外湿度計と、前記室外温度計及び前記室外湿度計の計測結果に基づいて居住者への指示情報を出力する指示情報出力装置と、当該指示情報出力装置から出力された指示情報を居住者が視認可能に表示する表示装置と、を備え、前記指示情報出力装置は、快適温度範囲及び快適湿度範囲を設定する設定部と、前記室外温度計の計測結果が快適温度範囲内か否かを判定する室外温度判定部と、前記室外湿度計の計測結果が快適湿度範囲内か否かを判定する室外湿度判定部と、前記室外温度判定部が快適温度範囲内でかつ前記室外湿度判定部が快適湿度範囲内であると判定した場合に、自然換気を指示する指示情報を設定する指示情報設定部と、当該指示情報設定部によって設定された指示情報を前記表示装置に出力する出力部とを有することを特徴とする換気報知システム。
【０００９】
（１）によれば、室外温度及び室外湿度がともに居住者にとって快適範囲にある状況において、自然換気を促す指示が表示装置に表示される。すなわち、室内外の湿度に差がある状況では窓を開放しないようなタイミングで指示が表示装置に表示される。これにより、最適なタイミングで自然換気を促す報知を行うことが可能になる。しかも、居住者が自然換気を行い、外気が室内に流入しても大きな違和感を覚えることがなく、自然空気を取り入れることが可能になる。また、空調装置を使わない時間を増やすことができるため、使用電力量を低減することが可能になり、省エネルギー化を図ることが可能になる。
【００１０】
（２）  （１）において、前記出力部は、指示情報を記載した電子メールを作成して当該電子メールを前記表示装置に送信し、前記表示装置は、前記指示情報出力装置からの電子メールを表示することを特徴とする換気報知システム。
【００１１】
（２）によれば、例えば、携帯型端末、あるいは電子メールを受信するテレビ受像機等を用いて指示情報を表示させることが可能になる。これにより、様々な場所から指示情報を居住者に伝達することが可能になる。
【００１２】
（３）  （１）又は（２）において、室内に配置され、湿度を計測する室内湿度計を更に備え、前記指示情報出力装置は、室内の空調装置を遠隔操作する遠隔操作部と、前記室内湿度計の計測結果が快適湿度範囲内か否かを判定する室内湿度判定部と、を更に有し、前記指示情報出力装置は、前記室外温度判定部が快適温度範囲内であると判定し、前記室外湿度判定部が快適湿度範囲内であると判定せず、かつ前記室内湿度判定部が快適湿度範囲内であると判定した場合に、前記遠隔操作部によって前記空調装置を除湿運転に切り替えることを特徴とする換気報知システム。
【００１３】
（３）によれば、例えば、空調装置が冷房運転の場合において、室外温度が快適温度範囲内であり、室外湿度が快適湿度範囲外であり、かつ室内湿度が快適湿度範囲である場合に、除湿運転に自動的に切り替えることにより、冷房運転の時間を短くすることができる。これにより、使用電力量を低減することが可能になり、省エネルギー化を図ることが可能になる。
【００１４】
（４）  （１）〜（３）において、室内に配置され、気温を計測する室内温度計を更に備え、前記指示情報出力装置は、前記室外温度計の計測結果と前記室内温度計の計測結果との差が所定の温度差以上の状態を所定時間継続したか否かを判定する温度差判定部を更に有し、前記指示情報設定部は、前記温度差判定部が所定の温度差以上の状態を所定時間継続したと判定した場合に、自然換気を指示する指示情報を設定することを特徴とする換気報知システム。
【００１５】
（４）によれば、温度差判定部が所定の温度差以上の状態を所定時間継続したと判定したということは、部屋が密閉された状態で長時間換気が行われていないことにつながるため、自然換気を促す表示を行うことにより、居住者に、室内に長時間溜まった空気と外気とを入れ換えようとするきっかけを与えることが可能になる。
【発明の効果】
【００１６】
本発明によれば、最適なタイミングで自然換気を促す報知を行う換気報知システムを提供することが可能になる。
【図面の簡単な説明】
【００１７】
【図１】本発明の一実施形態における換気報知システム１の概要を示すブロック図である。
【図２】指示情報テーブル１６ａの内容を示す説明図である。
【図３】本実施形態に係る指示情報出力装置１０による制御の流れを示すフローチャートである。
【発明を実施するための形態】
【００１８】
以下、本発明の実施形態について、図面を参照しながら詳細に説明する。
図１は、本発明の一実施形態における換気報知システム１の概要を示すブロック図である。換気報知システム１は、指示情報出力装置１０と、室外温度計５０と、室内温度計５２と、室外湿度計５４と、室内湿度計５６と、テレビ受像機７０と、携帯型端末８０とを備えている。
【００１９】
指示情報出力装置１０は、室外温度計５０、室内温度計５２、室外湿度計５４及び室内湿度計５６の測定結果に基づいて自然換気を行うこと等を指示する指示情報を設定し、その情報をテレビ受像機７０や携帯型端末８０に送信するものである。
【００２０】
室外温度計５０は、室外に設置され、外気の温度を計測して計測結果を指示情報出力装置１０に送信するものである。室内温度計５２は、室内に設置され、室内の温度を計測して計測結果を指示情報出力装置１０に送信するものである。室外湿度計５４は、室外に設置され、外気の湿度を計測して計測結果を指示情報出力装置１０に送信するものである。室内湿度計５６は、室内に設置され、室内の湿度を計測して計測結果を指示情報出力装置１０に送信するものである。
【００２１】
テレビ受像機７０及び携帯型端末８０は、表示部を有しており、この表示部に指示情報出力装置１０からの指示情報を表示させるものである。本実施形態によれば、テレビ受像機７０及び携帯型端末８０は、電子メールを受信する機能と、電子メールを表示する機能とを備えている。このように、テレビ受像機７０及び携帯型端末８０は、本発明の表示装置に相当する。
【００２２】
次に、指示情報出力装置１０の詳細について説明する。図１に示すように、指示情報出力装置１０は、ＣＰＵ１２と、ＲＡＭ１４と、ＲＯＭ１６と、設定入力部１８と、画像表示部２０と、データ通信部２２と、遠隔操作信号送信部２４と、Ｉ／Ｏ部２６とを備えている。
【００２３】
ＣＰＵ１２は、指示情報出力装置１０全体を制御する中央処理装置である。ＲＡＭ１４は、ＣＰＵ１２が各種の処理を実行する際にデータを展開する作業フィールドとして使用される。ＲＯＭ１６は、書き換え可能な不揮発性メモリからなり、ＣＰＵ１２に各種の機能を実行させるためプログラム、処理に必要な各種のデータをまとめたテーブル等が記憶されている。設定入力部１８は、居住者の操作によって各種の入力を行う操作パネルからなる。画像表示部２０は、液晶ディスプレイからなる。データ通信部２２は、ネットワーク回線１００に接続し、ネットワーク回線１００に接続されている端末との間で送受信を行うものである。遠隔操作信号送信部２４は、室内に設置されている空調装置１１０を遠隔操作する制御信号を、空調装置１１０に向かって赤外線送信するものである。Ｉ／Ｏ部２６は、室外温度計５０、室内温度計５２、室外湿度計５４、室内湿度計５６及びテレビ受像機７０と有線又は無線で通信可能に接続するインターフェースである。
【００２４】
ＲＯＭ１６には、ＣＰＵ１２が、設定部に相当する快適範囲設定部１２ａ、室外温度判定部１２ｂ、室内湿度判定部１２ｃ、室外湿度判定部１２ｄ、温度差判定部１２ｅ、指示情報設定部１２ｆ、遠隔操作制御部１２ｇ、電子メール作成部１２ｈ等としての機能を果たすためのプログラムが記憶されている。また、ＲＯＭ１６には、図示しない快適範囲設定テーブルと、指示情報テーブル１６ａとが記憶されている。
【００２５】
図示しない快適範囲設定テーブルは、空調装置１１０の設定温度と快適温度範囲及び快適湿度範囲とを関連付けて記憶したものである。指示情報テーブル１６ａは、室外温度判定部１２ｂ、室内湿度判定部１２ｃ、室外湿度判定部１２ｄ及び温度差判定部１２ｅの判定結果と、居住者に報知する指示情報とを関連付けて記憶したものである。
【００２６】
次に、ＣＰＵ１２の機能について説明する。
快適範囲設定部１２ａは、ＲＯＭ１６に記憶されている図示しない快適範囲設定テーブルを参照して、居住者が設定入力部１８を介して操作入力した空調装置１１０の設定温度に相当する快適温度範囲及び快適湿度範囲を抽出し、ＲＡＭ１４の所定の記憶領域に記憶する。快適温度範囲は、空調装置１１０が冷房運転である場合と暖房運転である場合とに分けて設定される。冷房運転の場合には、快適温度範囲の上限が設定温度から設定温度＋２℃に設定される。暖房運転の場合には、快適温度範囲の下限が設定温度から設定温度−２℃に設定される。快適湿度範囲は、４０〜６０に設定される。
【００２７】
室外温度判定部１２ｂは、快適範囲設定部１２ａで設定された快適温度範囲と、室外温度計５０の測定結果とを比較し、測定結果が快適温度範囲内であるか否かを判定し、判定結果をＲＡＭ１４の所定の記憶領域に記憶する。
【００２８】
室内湿度判定部１２ｃは、快適範囲設定部１２ａで設定された快適湿度範囲と、室内湿度計５６の測定結果とを比較し、測定結果が快適湿度範囲内であるか否かを判定し、判定結果をＲＡＭ１４の所定の記憶領域に記憶する。
【００２９】
室外湿度判定部１２ｄは、快適範囲設定部１２ａで設定された快適湿度範囲と、室外湿度計５４の測定結果とを比較し、測定結果が快適湿度範囲内であるか否かを判定し、判定結果をＲＡＭ１４の所定の記憶領域に記憶する。
【００３０】
温度差判定部１２ｅは、室外温度計５０の計測結果と室内温度計５２の計測結果との差が所定の温度差以上であり、所定の温度差以上の状態が所定時間継続したか否かを判定し、判定結果をＲＡＭ１４の所定の記憶領域に記憶する。具体的に、冷房運転の場合においては、室外温度計５０の計測結果が室内温度計５２の計測結果より高い状況で所定の温度差以上の状態が所定時間継続したか否かを判定する。暖房運転の場合においては、室外温度計５０の計測結果が室内温度計５２の計測結果より低い状況で所定の温度差以上の状態が所定時間継続したか否かを判定する。
【００３１】
指示情報設定部１２ｆは、ＲＡＭ１４に記憶されている室外温度判定部１２ｂ、室内湿度判定部１２ｃ、室外湿度判定部１２ｄ及び温度差判定部１２ｅの判定結果に基づいて、指示情報テーブル１６ａを参照して居住者に報知する指示情報を設定する。
【００３２】
遠隔操作制御部１２ｇは、ＲＡＭ１４に記憶されている室外温度判定部１２ｂ、室内湿度判定部１２ｃ及び室外湿度判定部１２ｄの判定結果に基づいて、遠隔操作信号送信部２４を制御して、空調装置１１０を遠隔操作する制御信号を空調装置１１０に送信させる。
【００３３】
電子メール作成部１２ｈは、指示情報設定部１２ｆで設定した指示情報を記載した電子メールを作成し、データ通信部２２を制御して、電子メールをネットワーク回線１００を介してテレビ受像機７０や携帯型端末８０に送信する。
【００３４】
図２は、指示情報テーブル１６ａの内容を示す説明図である。図２に示すように、夏期の冷房運転において使用するテーブルと冬期の暖房運転において使用するテーブルを備えている。
【００３５】
まず、夏期の冷房運転において使用するテーブルについて説明する。図２に示すように、室外温度判定部１２ｂ及び室外湿度判定部１２ｄがともに「範囲内である」という判定結果の場合、この判定結果に対して、温度差判定部１２ｅの判定結果に関わらず「冷房を停止し、窓を開けてください。」という指示情報が関連付けられている。
【００３６】
また、室外温度判定部１２ｂ及び室内湿度判定部１２ｃがともに「範囲内である」という判定結果でかつ室外湿度判定部１２ｄが「範囲内でない」という判定結果の場合、この判定結果に対して、温度差判定部１２ｅの判定結果に関わらず「冷房を除湿運転に切り替えました。」という指示情報が関連付けられている。
【００３７】
室外湿度判定部１２ｄが「範囲内でない」という判定結果でかつ室内湿度判定部１２ｃが「範囲内である」という判定結果の場合、この判定結果に対して、室外温度判定部１２ｂ及び温度差判定部１２ｅの判定結果に関わらず「窓を閉めて、冷房を作動させてください。」という指示情報が関連付けられている。
【００３８】
また、温度差判定部１２ｅが、所定の温度差以上の状態が所定時間継続したという判定結果の場合、この判定結果に対して、室外温度判定部１２ｂ、室内湿度判定部１２ｃ及び室外湿度判定部１２ｄの判定結果に関わらず「冷房を停止し、窓を開けてください。」という指示情報が関連付けられている。
【００３９】
次に、冬期の暖房運転において使用するテーブルについて説明する。図２に示すように、室外温度判定部１２ｂ及び室外湿度判定部１２ｄがともに「範囲内である」という判定結果の場合、この判定結果に対して、室内湿度判定部１２ｃ及び温度差判定部１２ｅの判定結果に関わらず、「暖房を停止し、窓を開けてください。」という指示情報が関連付けられている。
【００４０】
また、室内湿度判定部１２ｃが「範囲内でない」という判定結果の場合、室外温度判定部１２ｂ及び室外湿度判定部１２ｄがともに「範囲内である」という判定結果の場合を除いた判定結果に対して、温度差判定部１２ｅの判定結果に関わらず、「加湿器の使用をお勧めします。」という指示情報が関連付けられている。
【００４１】
また、室外温度判定部１２ｂが「範囲でない」という判定結果でかつ室内湿度判定部１２ｃ及び室外湿度判定部１２ｄがともに「範囲である」という判定結果の場合、この判定結果に対して、温度差判定部１２ｅの判定結果に関わらず「暖房を作動させてください。」という指示情報が関連付けられている。
【００４２】
また、温度差判定部１２ｅが、所定の温度差以上の状態が所定時間継続したという判定結果の場合、この判定結果に対して、室外温度判定部１２ｂ、室内湿度判定部１２ｃ及び室外湿度判定部１２ｄの判定結果に関わらず「暖房を停止し、窓を開けてください。」という指示情報が関連付けられている。
【００４３】
図３は、本実施形態に係る指示情報出力装置１０による制御の流れを示すフローチャートである。
【００４４】
まず、ステップＳ１において、初期設定を行う。すなわち、ＣＰＵ１２は、居住者による設定入力部１８の操作入力に基づいて、指示情報出力装置１０に快適温度範囲及び快適湿度範囲を設定する。
【００４５】
より具体的に説明すると、指示情報出力装置１０は、通常においては、ＲＯＭ１６に記憶されている複数の画像情報を適宜切替ながら画像表示部２０に表示する、所謂デジタルフォトフレームとして使用される。また、指示情報出力装置１０は、室内外の温度及び湿度を画像表示部２０に表示する機能を備えている。ここで、居住者が設定入力部１８を操作することにより、空調装置１１０の設定温度及び運転の種類（冷房又は暖房）の入力を案内する画面が画像表示部２０に表示される。そして、居住者が設定入力部１８を操作して設定温度及び運転の種類を入力すると、指示情報出力装置１０のＣＰＵ１２は、設定温度に基づいて暖房か冷房かを判定し、更に、ＲＯＭ１６に記憶されている図示しない快適範囲設定テーブルを参照して設定温度及び運転の種類に対応する快適温度範囲及び快適湿度範囲を設定する。
【００４６】
次に、ステップＳ２において、指示情報を設定する処理を行う。この処理において、ＣＰＵ１２は、指示情報テーブル１６ａにおけるステップＳ１における暖房か冷房かの判定結果に対応するテーブルを参照し、室外温度判定部１２ｂ、室内湿度判定部１２ｃ、室外湿度判定部１２ｄ及び温度差判定部１２ｅの判定結果に対応する指示情報を抽出する。
【００４７】
次に、ステップＳ３において、電子メールを作成する処理を行う。この処理において、ＣＰＵ１２は、ステップＳ２において抽出された指示情報の内容を含む電子メールを作成する処理を行う。
【００４８】
次に、ステップＳ４において、制御信号及びデータを送信する処理を行う。この処理において、ＣＰＵ１２は、ステップＳ３において作成した電子メールを携帯型端末８０及びテレビ受像機７０に送信する処理を行う。電子メールを受信した携帯型端末８０及びテレビ受像機７０においては電子メールの内容が表示され、指示情報が居住者に報知される。特に、ステップＳ２において取得した室外温度判定部１２ｂ、室内湿度判定部１２ｃ、室外湿度判定部１２ｄ及び温度差判定部１２ｅの結果が、図２に示すテーブルにおける「冷房から除湿運転に切り替えました。」に対応する場合、遠隔操作信号送信部２４が、空調装置１１０を除湿運転に切り替える制御信号を空調装置１１０に送信する。制御信号を受信した空調装置１１０は、除湿運転に切り替える。
【００４９】
指示情報出力装置１０においては、このような制御が所定時間毎（例えば３分）に繰り返される。
【００５０】
次に、本実施形態の使用例について説明する。
【００５１】
例えば、居住者が指示情報出力装置１０に、運転の種類として冷房を設定入力し、設定温度として２４℃を設定入力したとする。この場合、最適温度範囲が２２〜２６℃でかつ最適湿度範囲が４０〜６０％を快適に設定される。
【００５２】
そして、室外気温２２〜２６℃でかつ室外湿度４０〜６０％となった場合に、「冷房を停止し、窓を開けてください。」という指示情報が、テレビ受像機７０や携帯型端末８０にメール送信され、そのメールの内容がテレビ受像機７０や携帯型端末８０に表示される。また、指示情報出力装置１０の画像表示部２０にも指示情報が表示される。
【００５３】
また、室外気温２２〜２６℃でかつ室外湿度６０％超となった場合に、「冷房から除湿運転に切り替えました。」という指示情報が、テレビ受像機７０や携帯型端末８０にメール送信され、そのメールの内容がテレビ受像機７０や携帯型端末８０に表示される。また、指示情報出力装置１０の画像表示部２０にも指示情報が表示される。更に、指示情報出力装置１０は、遠隔操作信号送信部２４を制御して、空調装置１１０を除湿運転に切り替える制御信号を空調装置１１０に送信する。この制御信号を受信した空調装置１１０は冷房運転から除湿運転に切り替える。
【００５４】
また、室外気温２２〜２６℃の範囲外となった場合に、「窓を閉めて、冷房を作動させてください。」という指示情報が、テレビ受像機７０や携帯型端末８０にメール送信され、そのメールの内容がテレビ受像機７０や携帯型端末８０に表示される。また、指示情報出力装置１０の画像表示部２０にも指示情報が表示される。
【００５５】
より具体的に説明すると、前述したように設定したことにより、夏期における午前中の涼しい時に、「冷房を停止し、窓を開けてください。」という電子メールがテレビ受像機７０や携帯型端末８０に届くようになる。
【００５６】
この指示を見た居住者が指示通りに窓を開け、その状態が継続し、正午頃まで気温が上がり、例えば、室内及び外温度が２７℃で湿度が７０％になったとする。この場合、「窓を閉めて、冷房を作動させてください。」という電子メールがテレビ受像機７０や携帯型端末８０に届くようになる。
【００５７】
この指示を見た居住者が指示通りに窓を閉めて、冷房を作動させることにより、室内温度２６℃、湿度５０％となるように室内環境が保たれる。これにより、冷房を作動させるのに最適なタイミングを報知することが可能になり、熱中症対策を行うことが可能になる。
【００５８】
また、夏期における、午後の暑い時間帯に空調装置１１０を作動させたとする。この場合、経時後に室内温度が２６℃、室内湿度が５０％となるが、その一方で室外温度が３０℃、室外湿度７０％の状態が継続する。その後、室内湿度が５０％の状態に保たれるが、夕方に近づくにつれて気温が下がり、やがて室外温度が２６℃、室外湿度７０％の状態になったとする。この時点で、空調装置１１０の運転が冷房から除湿に自動的に切り替えられ、「エアコンを除湿運転に切り替えました。」という電子メールが、テレビ受像機７０や携帯型端末８０に届くようになる。
【００５９】
更に、夜になって、室外の気温及び湿度が下がり、室外温度が２４℃、室外湿度６０％となった場合に、「冷房を停止し、窓を開けてください。」という電子メールがテレビ受像機７０や携帯型端末８０に届くようになる。これにより、冷房を使用する時間を短縮させることが可能になり、省エネルギー対策を行うことが可能になる。
【００６０】
また、冬期においては、室内湿度が快適湿度範囲又はそれよりも低い場合が多い。ここで、室内湿度が快適湿度範囲よりも低くなった場合に、「加湿器の使用をお勧めします。」という電子メールが、テレビ受像機７０や携帯型端末８０に届くようになる。特に、室内湿度が快適湿度範囲よりも低くても、室外温度及び室外湿度が快適範囲内であれば、「暖房を停止し、窓を開けてください。」という電子メールがテレビ受像機７０や携帯型端末８０に届くようになる。
【００６１】
また、本実施形態によれば、温度差判定部１２ｅが、室外温度が室内温度よりも高い所定の温度差以上の状態を所定時間継続したと判定した場合には、室外温度判定部１２ｂ、室内湿度判定部１２ｃ及び室外湿度判定部１２ｄの判定結果に関わらず、「冷房を停止し、窓を開けてください。」という電子メールがテレビ受像機７０や携帯型端末８０に届くようになる。また、温度差判定部１２ｅが、室外温度が室内温度よりも低い所定の温度差以上の状態を所定時間継続したと判定した場合には、室外温度判定部１２ｂ、室内湿度判定部１２ｃ及び室外湿度判定部１２ｄの判定結果に関わらず、「暖房を停止し、窓を開けてください。」という電子メールがテレビ受像機７０や携帯型端末８０に届くようになる。
【００６２】
以上説明したように構成された本実施形態によれば、室外温度及び室外湿度がともに居住者にとって快適範囲にある状況において、自然換気を促す指示がテレビ受像機７０や携帯型端末８０に表示される。このため、最適なタイミングで自然換気を促す報知を行うことが可能になる。しかも、居住者が自然換気を行い、外気が室内に流入しても湿気による違和感を覚えることがなく、自然空気を取り入れることが可能になる。また、空調装置１１０を使わない時間を増やすことができるため、使用電力量を低減することが可能になり、省エネルギー化を図ることが可能になる。
【００６３】
また本実施形態によれば、自然換気を促す指示を、例えば、あるいは電子メールを携帯型端末８０に送信することによって指示情報を居住者に視認させることが可能になる。これにより、様々な場所から指示情報を居住者に伝達することが可能になる。
【００６４】
また本実施形態によれば、空調装置１１０が冷房運転の場合において、室外温度が快適温度範囲内であり、室外湿度が快適湿度範囲外であり、かつ室内湿度が快適湿度範囲である場合に除湿運転に自動的に切り替えることにより、冷房運転の時間を短くすることができる。これにより、使用電力量を低減することが可能になり、省エネルギー化を図ることが可能になる。
【００６５】
また本実施形態によれば、温度差判定部１２ｅが所定の温度差以上の状態を所定時間継続したと判定した場合に、自然換気を促す表示を行うことにより、居住者に、室内に長時間溜まった空気と外気とを入れ換えようとするきっかけを与えることが可能になる。
【００６６】
以上、本発明の実施形態について説明したが、本発明の実施形態は上述した実施形態に限るものではない。例えば、前述した実施形態によれば、夏期において、室外温度判定部１２ｂ及び室内湿度判定部１２ｃがともに「範囲内である」という判定結果でかつ室外湿度判定部１２ｄが「範囲内でない」という判定結果の場合に、空調装置１１０の運転が自動的に除湿運転に切り替わる。しかし、それ以外でも、室外温度判定部１２ｂ及び室外湿度判定部１２ｄがともに「範囲内である」という判定結果の場合に、指示情報出力装置１０が、遠隔操作信号送信部２４を制御して、空調装置１１０の運転を停止させる制御信号を空調装置１１０に送信することにより、空調装置１１０の運転を自動的に停止させてもよい。
【００６７】
また、前述した実施形態によれば、電子メールを携帯型端末８０やテレビ受像機７０に送信して、電子メールを表示させることにより、居住者に指示情報を報知しているが、それに限らず、電子メールの表示とともに音声によって指示情報を報知してもよい。
【００６８】
また、前述した実施形態によれば、指示情報出力装置１０に空調装置１１０の設定温度を入力することによって快適温度範囲及び快適湿度範囲が自動的に設定されるが、快適温度範囲及び快適湿度範囲を居住者の手入力によって設定可能にしてもよい。
【００６９】
また、建物の窓、あるいは換気用の吸排気口を自動的に開閉することができるのであれば、例えば、室外温度判定部１２ｂ及び室外湿度判定部１２ｄがともに「範囲内である」という判定結果の場合に、建物の窓、あるいは換気用の吸排気口を自動的に開放させてもよい。
【符号の説明】
【００７０】
１  換気報知システム
１０  指示情報出力装置
１２  ＣＰＵ
１２  温度差判定部
１２ａ  快適範囲設定部
１２ｂ  室外温度判定部
１２ｃ  室内湿度判定部
１２ｄ  室外湿度判定部
１２ｅ  温度差判定部
１２ｆ  指示情報設定部
１２ｇ  遠隔操作制御部
１２ｈ  電子メール作成部
１４  ＲＡＭ
１６  ＲＯＭ
１６ａ  指示情報テーブル
１８  設定入力部
２０  画像表示部
２２  データ通信部
２４  遠隔操作信号送信部
２６  Ｉ／Ｏ部
５０  室外温度計
５２  室内温度計
５４  室外湿度計
５６  室内湿度計
７０  テレビ受像機
８０  携帯型端末
１００  ネットワーク回線
１１０  空調装置
【図１】
2014219124.tif 000003
【図２】
2014219124.tif 000004
【図３】
2014219124.tif 000005
【手続補正書】
【提出日】平成26年8月7日(2014.8.7)
【手続補正１】
【補正対象書類名】特許請求の範囲
【補正対象項目名】全文
【補正方法】変更
【補正の内容】
【特許請求の範囲】
【請求項１】
室外に配置され、気温を計測する室外温度計と、
室外に配置され、湿度を計測する室外湿度計と、
室内に配置され、湿度を計測する室内湿度計と、
前記室外温度計及び前記室外湿度計の計測結果に基づいて居住者への指示情報を出力する指示情報出力装置と、
当該指示情報出力装置から出力された指示情報を居住者が視認可能に表示する表示装置と、を備え、
前記指示情報出力装置は、
快適温度範囲及び快適湿度範囲を設定する設定部と、
前記室外温度計の計測結果が快適温度範囲内か否かを判定する室外温度判定部と、
前記室外湿度計の計測結果が快適湿度範囲内か否かを判定する室外湿度判定部と、
前記室内湿度計の計測結果が快適湿度範囲内か否かを判定する室内湿度判定部と、
前記室外温度判定部が快適温度範囲内でかつ前記室外湿度判定部が快適湿度範囲内であると判定した場合に、自然換気を指示する指示情報を設定する指示情報設定部と、
当該指示情報設定部によって設定された指示情報を前記表示装置に出力する出力部と、
室内の空調装置を遠隔操作する遠隔操作部とを有し、
前記指示情報出力装置は、前記室外温度判定部が快適温度範囲内であると判定し、前記室外湿度判定部が快適湿度範囲内であると判定せず、かつ前記室内湿度判定部が快適湿度範囲内であると判定した場合に、前記遠隔操作部によって前記空調装置を除湿運転に切り替えることを特徴とする換気報知システム。
【請求項２】
前記出力部は、指示情報を記載した電子メールを作成して当該電子メールを前記表示装置に送信し、
前記表示装置は、前記指示情報出力装置からの電子メールを表示することを特徴とする請求項１記載の換気報知システム。
【請求項３】
室内に配置され、気温を計測する室内温度計を更に備え、
前記指示情報出力装置は、
前記室外温度計の計測結果と前記室内温度計の計測結果との差が所定の温度差以上の状態を所定時間継続したか否かを判定する温度差判定部を更に有し、
前記指示情報設定部は、前記温度差判定部が所定の温度差以上の状態を所定時間継続したと判定した場合に、自然換気を指示する指示情報を設定することを特徴とする請求項１又は２記載の換気報知システム。
【手続補正２】
【補正対象書類名】明細書
【補正対象項目名】０００８
【補正方法】変更
【補正の内容】
【０００８】
（１）  室外に配置され、気温を計測する室外温度計と、室外に配置され、湿度を計測する室外湿度計と、室内に配置され、湿度を計測する室内湿度計と、前記室外温度計及び前記室外湿度計の計測結果に基づいて居住者への指示情報を出力する指示情報出力装置と、
当該指示情報出力装置から出力された指示情報を居住者が視認可能に表示する表示装置と、を備え、前記指示情報出力装置は、快適温度範囲及び快適湿度範囲を設定する設定部と、前記室外温度計の計測結果が快適温度範囲内か否かを判定する室外温度判定部と、前記室外湿度計の計測結果が快適湿度範囲内か否かを判定する室外湿度判定部と、前記室内湿度計の計測結果が快適湿度範囲内か否かを判定する室内湿度判定部と、前記室外温度判定部が快適温度範囲内でかつ前記室外湿度判定部が快適湿度範囲内であると判定した場合に、自然換気を指示する指示情報を設定する指示情報設定部と、当該指示情報設定部によって設定された指示情報を前記表示装置に出力する出力部と、室内の空調装置を遠隔操作する遠隔操作部とを有し、前記指示情報出力装置は、前記室外温度判定部が快適温度範囲内であると判定し、前記室外湿度判定部が快適湿度範囲内であると判定せず、かつ前記室内湿度判定部が快適湿度範囲内であると判定した場合に、前記遠隔操作部によって前記空調装置を除湿運転に切り替えることを特徴とする換気報知システム。
【手続補正３】
【補正対象書類名】明細書
【補正対象項目名】０００９
【補正方法】変更
【補正の内容】
【０００９】
（１）によれば、室外温度及び室外湿度がともに居住者にとって快適範囲にある状況において、自然換気を促す指示が表示装置に表示される。すなわち、室内外の湿度に差がある状況では窓を開放しないようなタイミングで指示が表示装置に表示される。これにより、最適なタイミングで自然換気を促す報知を行うことが可能になる。しかも、居住者が自然換気を行い、外気が室内に流入しても大きな違和感を覚えることがなく、自然空気を取り入れることが可能になる。また、空調装置を使わない時間を増やすことができるため、使用電力量を低減することが可能になり、省エネルギー化を図ることが可能になる。
また、例えば、空調装置が冷房運転の場合において、室外温度が快適温度範囲内であり、室外湿度が快適湿度範囲外であり、かつ室内湿度が快適湿度範囲である場合に、除湿運転に自動的に切り替えることにより、冷房運転の時間を短くすることができる。これにより、使用電力量を低減することが可能になり、省エネルギー化を図ることが可能になる。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
（３）  （１）又は（２）において、室内に配置され、気温を計測する室内温度計を更に備え、前記指示情報出力装置は、前記室外温度計の計測結果と前記室内温度計の計測結果との差が所定の温度差以上の状態を所定時間継続したか否かを判定する温度差判定部を更に有し、前記指示情報設定部は、前記温度差判定部が所定の温度差以上の状態を所定時間継続したと判定した場合に、自然換気を指示する指示情報を設定することを特徴とする換気報知システム。
【手続補正７】
【補正対象書類名】明細書
【補正対象項目名】００１５
【補正方法】変更
【補正の内容】
【００１５】
（３）によれば、温度差判定部が所定の温度差以上の状態を所定時間継続したと判定したということは、部屋が密閉された状態で長時間換気が行われていないことにつながるため、自然換気を促す表示を行うことにより、居住者に、室内に長時間溜まった空気と外気とを入れ換えようとするきっかけを与えることが可能になる。